(57)【特許請求の範囲】
【請求項１】
枠体１内を仕切板２によって二室Ａ・Ｂに分割し、一方の冷風室Ａにはエバポレータ３と、枠体１の前面１ａの冷風吹出口４に連続する冷風スクロール５と、該冷風スクロール５内に配置する冷風ファン６とを設け、他の排風室Ｂにはコンデンサ７と、仕切板２と一体に形成した排風スクロール８と、排風スクロール８内に配置する排風ファン９とを設け、かつ、冷風室Ａ側の仕切板２にはファン駆動用の送風モータ１０を取付けた冷風除湿機において、
送風モータ１０は回転軸１０ａ付近の外殻に空気流通口１０ｂを設け、該空気流通口１０ｂの外方の送風モータ１０の外殻を仕切板２に密着取付けし、かつ、空気流通口１０ｂと対抗する仕切板２には開口２ａを形成して送風モータ１０内と排風室Ｂとを連通すると共に、
該仕切板２の開口２ａよりも外方に外端が位置する送風フィン１１ａを排風ファン９のベース板９ａに設け、ベース板９ａの送風モータ１０側に設けた送風フィン１１ａによって冷却ファン１１を形成し、冷風室Ａの空気を使って送風モータ１０を冷却することを特徴とする冷風除湿機の送風構造。
【請求項２】
仕切板２の開口２ａの周辺には排風ファン９のベース板９ａの投影面内に位置する冷却スクロール１１ｂを設け、該開口２ａと冷却スクロール１１ｂとの間の仕切板２にベース板９ａから接近する送風フィン１１ａを同心円状に配置して冷却ファン１１を構成したことを特徴とする請求項１に記載の冷風除湿機の送風構造。
【発明の詳細な説明】
【０００１】
【産業上の利用分野】
この発明は冷風除湿機のファンを駆動する送風モータのオーバーヒートを防止する構造に関するものである。
【０００２】
【従来の技術】
冷風除湿機は一つの枠体内にコンプレッサとコンデンサーとエバポレータとを配管路で連結し、該配管路にキャピラリを取付けて、コンプレッサで圧縮した冷媒を液化し、キャピラリを介して液化した冷媒を気化させて、枠体の前面の冷風吹出口から冷風を吹き出している。そして、コンパクトな冷風除湿機に仕上げる為には、エバポレータを通過して得られた冷風の為の冷風室と、コンデンサから放熱した熱量を排出する為の排風室との間の仕切板に送風モータを取付ける構造が一般的である。
【０００３】
送風モータに通電して冷風ファンと排風ファンを回転すると、送風モータ本体から発熱するものであり、送風モータで発生した熱を排出せずにそのままにしておくと、内部で熱がこもって送風モータがオーバーヒートする恐れがある。この為、従来では発熱する送風モータをエバポレータで冷却した空気が流れる冷風室内に取付けて空冷できるようにすると共に、冷風ファンの吸込口を送風ファンに近づけて、積極的に送風モータ付近の温まった空気を吸引することで送風モータの冷却効果を高めている。
【０００４】
【発明が解決しようとする課題】
ところで、送風モータを冷風室に設置しただけでは充分な放熱が得られず、送風モータはオーバーヒート気味に運転を継続する場合があり、送風モータの耐久性の点で問題がある。また、このようなオーバーヒートを避ける為に送風モータを冷風ファンの吸込口に近づけたものでは、送風モータ付近の温まった空気を吸引できるので、オーバーヒートの問題はある程度解消するものの、冷風ファンによって送られる風量が送風モータ本体に邪魔されて少なくなるものであり、必ずしも良い方法ではない。
【０００５】
また、冷風室に送風モータを設置することによって、送風モータで発熱した熱量がエバポレータで得られた冷風と一緒に室内に吹き出すものであるから、冷風機としての効率を悪化させており、従来のように送風モータを冷風室に設置することは好ましい構造ではない。
【０００６】
【課題を解決するための手段】
この発明は上記の問題点を解決するもので、枠体１内を仕切板２によって二室Ａ・Ｂに分割し、一方の冷風室Ａにはエバポレータ３と、枠体１の前面１ａの冷風吹出口４に連続する冷風スクロール５と、該冷風スクロール５内に配置する冷風ファン６とを設け、他の排風室Ｂにはコンデンサ７と、仕切板２と一体に形成した排風スクロール８と、排風スクロール８内に配置する排風ファン９とを設け、かつ、冷風室Ａ側の仕切板２にはファン駆動用の送風モータ１０を取付けた冷風除湿機において、送風モータ１０は回転軸１０ａ付近の外殻に空気流通口１０ｂを設け、該空気流通口１０ｂの外方の送風モータ１０の外殻を仕切板２に密着取付けし、かつ、空気流通口１０ｂと対抗する仕切板２には開口２ａを形成して送風モータ１０内と排風室Ｂとを連通すると共に、該仕切板２の開口２ａよりも外方に外端が位置する送風フィン１１ａを排風ファン９のベース板９ａに設け、ベース板９ａの送風モータ１０側に設けた送風フィン１１ａによって冷却ファン１１を形成し、冷風室Ａの空気を使って送風モータ１０を冷却するものである。
【０００７】
また、仕切板２の開口２ａの周辺には排風ファン９のベース板９ａの投影面内に位置する冷却スクロール１１ｂを設け、該開口２ａと冷却スクロール１１ｂとの間の仕切板２にベース板９ａから接近する送風フィン１１ａを同心円状に配置して冷却ファン１１を構成しており、冷却スクロール１１ｂによって、送風モータ１０を通過した空気の吹き出し方向を特定の方向に定めることができるものである。
【０００８】
【作用】
この発明の送風モータ１０は冷風室Ａの空間に配置されるのではなくて、冷風室Ａと排風室Ｂとを分割する仕切板２の冷風室Ａ側に連接しており、かつ、送風モータ１０の空気流通口１０ｂと対抗して仕切板２には開口２ａを形成している。また、排風室Ｂに設けた排風ファン９の排風フィンを立設する為のベース板９ａは、排風フィンの反対側に送風フィン１１ａを設けて冷却ファン１１を構成しており、送風モータ１０を運転すると、排風ファン９のベース板９ａに取付けた冷却ファン１１は送風モータ１０の内部の空気を吸引する。
【０００９】
この為、送風モータ１０の内部はエバポレータ３で冷却した冷風室Ａの空気が流れるので、送風モータ１０は効果的に冷却できるものである。また、冷風室Ａの冷風ファン６は送風モータ１０の周囲の空気を吸引する必要がないから、冷風ファン６と送風モータ１０を離すことができ、冷風ファン６はエバポレータ３で得られた冷風だけを冷風吹出口４から吹き出すことができる。
【００１０】
【実施例】
図に示す冷風除湿機の実施例によってこの発明を説明すると、１は冷風除湿機の枠体、４は枠体１の前面１ａに形成した冷風吹出口、１２は枠体１の背面１ｂに形成した排風吹出口、２は枠体１内を上下二室に分割する仕切板であり、Ａは仕切板２で分割した上部側の冷風室、Ｂは仕切板２で分割した下部側の排風室である。
【００１１】
３は枠体１の冷風室Ａの入口側に取付けたエバポレータ、５は冷風室Ａの出口を構成する冷風吹出口４に連続する冷風スクロール、６は冷風スクロール５内に配置する冷風ファンである。７は枠体１の排風室Ｂの入口側に取付けたコンデンサ、８は仕切板２の一部を利用して一体に形成する排風スクロール、９は排風スクロール８内に配置する排風ファンであり、排風スクロール８は排風室Ｂの出口を構成する排風吹出口１２に連続している。
【００１２】
１３は排風室Ｂ内に設置したコンプレッサ、１４は空気中の水蒸気がエバポレータ３の表面で結露してできたドレンを回収するドレンタンクであり、コンデンサ７は排風ファン９の入口側に設置してあり、コンプレッサ１３やドレンタンク１４付近の排風室Ｂ内に入ってきた空気は、横置されたコンデンサ７を通過して排風ファン９に吸込まれる。
【００１３】
この時、コンプレッサ１３によって高圧・高温となった冷媒によってコンデンサ７は高温になっており、高圧高温となった冷媒ガスはコンデンサ７を通過する空気によって冷却されて液化する。また、液化した冷媒はキャピラリを経てエバポレータ３に送られて気化し、エバポレータ３を低温度にする。そして、エバポレータ３を通過する空気と熱交換して液体の冷媒はガスとなり、再びコンプレッサ１３に送られて圧縮され、冷凍回路を構成するものである。
【００１４】
１０はエバポレータ３を配置した冷風室Ａ側の仕切板２に密着取付けした送風モータ、１０ａは送風ファン１０の回転軸であり、実施例では前記冷風ファン６と排風ファン９とが回転軸１０ａの両端に固着され、一個の送風モータ１０で同時に回転して冷風と排風を同時に得ている。１０ｂは送風モータ１０の回転軸１０ａ付近の外殻の両方に設けた空気流通口、２ａは送風モータ１０を密着取付けした仕切板２に形成した開口であり、該開口２ａは送風モータ１０の回転軸１０ａが貫通し、かつ、空気流通口１０ｂと対抗しており、空気流通口１０ｂの外方の送風モータ１０の外殻が仕切板２に密着取付けしている。
【００１５】
９ａは排風ファン９を構成する排風フィン９ｂを立設するベース板であり、該排風ファン９は排風フィン９ｂをコンデンサ７側に向けて開放しており、ベース板９ａは仕切板２側に位置している。１１ａは仕切板２の開口２ａよりも外方に外端が位置するように排風ファン９のベース板９ａに設けた送風フィンであり、仕切板２と送風フィン１１ａとベース板９ａによって冷却ファン１１を形成している。
【００１６】
以上のような構造であるから、送風モータ１０を運連すると排風ファンが回転し、室内空気はコンデンサ７を通過しながら高温度になって排風スクロール８によって排風吹出口１２から室内に戻される。また、冷風ファン６が回転すると室内空気はエバポレータ３を通過しながら冷却されて、冷風室Ａを低温空気で満たす。この低温空気は冷風ファン６に吸込まれ、枠体１の前面１ａの冷風吹出口４から吹き出すものである。
【００１７】
一方、排風ファン９が回転すればベース板９ａに形成した冷却ファン１１も回転し、冷風室のＡの空気は空気流通口１０ｂから送風モータ１０内に入り、仕切板２側の空気流通口１０ｂから開口２ａを通って冷却ファン１に吸込まれる。この為、冷風室Ａの空気を使って送風モータ１０を冷却することができ、従来構造のように送風モータ１０を冷却した空気が冷風ファン６によって冷風吹出口４から吹き出すことはない。
【００１８】
１１ｂは仕切板から送風フィン１１ａに向けて取付けた冷却スクロールであり、該冷却スクロール１１ｂは送風フィン１１ａの外方でベース板９ａの投影面内に位置させている。そして、冷却スクロール１１ｂの開放部を任意の方向に向けることによって、送風モータ１０を冷却した空気の排出方向が特定でき、実施例ではこの方向を排風ファン９の排出方向に一致させている。この構造では送風モータ１０を冷却した空気を速やかに枠体１外に排出できるようにすると共に、冷却ファン１１から吹き出す空気流が、排風ファン９に吸い込まれることなく、排風ファン９の送風力に影響を与えないようにできる。
【００１９】
【発明の効果】
以上のようにこの発明ではエバポレータ３で得られた冷風だけが冷風吹出口４から吹き出すことができ、送風モータ１０を冷却した空気は冷却ファン１１によって排風室Ｂに送られ、コンデンサ７を冷却して高温となった空気と混合して冷風除湿機から排出するものであり、冷風吹出口４からは送風モータ１０を冷却して温度を高めた空気が吹き出さないから、冷却効率が向上したものである。
【００２０】
また、エバポレータ３で得られた低温空気の流れで送風モータ１０を冷却する時には、送風モータ１０を冷風室Ｂの空間に設置したり、冷風ファン６の吸込口に接近して設ける必要があり、冷風ファン６の吸込み障害になっていたが、この発明では送風モータ１０を仕切板２に連接し、送風モータ１０を冷風ファン６に近づける必要がないから、冷風ファン６に向かう空気は抵抗もなくスムーズに流れ、多量の冷却空気を冷風吹出口４に送ることができるようになった。
【００２１】
また、排風ファン９のベース板９ａに形成した冷却ファン１１によって、エバポレータ３で冷却された空気が送風モータ１０内を通過する構成としたから、送風モータ１０内には多量の空気を流す必要がなくなり、少量の空気でも確実に送風モータ１０を冷却できるから、能力の弱い簡単な構造の冷却ファン１１でも充分実用になるものである。
【００２２】
更に、冷却ファン１１は放射状に冷却フィン１１ａを並べた簡単なものでもよいが、吹出方向を排風ファン９の排出方向に揃えて、送風モータ１０を冷却した空気が速やかに排出させる時には、仕切板２からベース板９ａに向けて冷却スクロール１１ｂを設けることによって簡単に排出方向を定めることができ、非常に簡単な構成によって排風ファン９の送風力を変化させず、確実に送風モータ１０の冷却空気を枠体１外に排出できるようになった。
【図面の簡単な説明】
【図１】この発明の実施例を示す冷風除湿機の断面図である。
【図２】この発明の実施例を示す冷風除湿機の拡大要部断面図である。
【符号の説明】
Ａ    冷風室
Ｂ    排風室
１    枠体
１ａ  前面
２    仕切板
２ａ  開口
３    エバポレータ
４    冷風吹出口
５    冷風スクロール
６    冷風ファン
７    コンデンサ
８    排風スクロール
９    排風ファン
９ａ  ベース板
１０    送風モータ
１０ａ  回転軸
１０ｂ  空気流通口
１１    冷却ファン
１１ａ  送風フィン
１１ｂ  冷却スクロール
【図１】
0003596714.tif 000002
【図２】
0003596714.tif 000003